(57)【要約】  様々な通信能力の状態にある複数の無線通信装置の間で通信が行われる無線通信システムにおいても、良好なＢＥＲ特性を維持しつつ、伝送効率を高めることができるＯＦＤＭ送信装置及びＯＦＤＭ受信装置。無線端末装置（１００）に、受信ＯＦＤＭ信号のシンボル長と選択区間とのバランスを判定する設定状態バランス判定部（１７０）と、選択区間がシンボル長より短い場合、受信フーリエ変換区間、受信ＯＦＤＭ信号の最大遅延時間及び周波数領域等化処理におけるインパルス応答の広がりを含む、送信側へのフィードバック情報を生成するフィードバック情報生成部（１８０）と、を設けた。これによりフィードバック情報を用いて送信側がシンボル長を調整することができるので、設定状態のアンバランスに起因して受信側の無線端末装置（１００）で起こるＢＥＲの低下を防止することができる。
2008139624.tif 000002
【特許請求の範囲】
【請求項１】
受信ＯＦＤＭ信号がフーリエ変換区間でフーリエ変換されることにより周波数領域の信号に変換された後に周波数領域等化処理され、更に逆フーリエ変換されることにより得られる時間領域信号の一部を復調対象の選択区間として抽出するＯＦＤＭ受信装置であって、
受信ＯＦＤＭ信号のシンボル長と選択区間とのバランスを判定するバランス判定手段と、
前記選択区間が前記シンボル長より短い場合、フーリエ変換区間、前記受信ＯＦＤＭ信号の最大遅延時間及び前記周波数領域等化処理におけるインパルス応答の広がりを含む、送信側へのフィードバック情報を生成するフィードバック情報生成手段と、
を具備するＯＦＤＭ受信装置。
【請求項２】
受信ＯＦＤＭ信号がフーリエ変換区間でフーリエ変換されることにより周波数領域の信号に変換された後に周波数領域等化処理され、更に逆フーリエ変換されることにより得られる時間領域信号の一部を復調対象の選択区間として抽出するＯＦＤＭ受信装置に向けてＯＦＤＭ信号を送信するＯＦＤＭ送信装置であって、
フーリエ変換区間、受信ＯＦＤＭ信号の最大遅延時間及び周波数領域等化処理におけるインパルス応答の広がりを含むフィードバック情報を取得する取得手段と、
前記フィードバック情報を用いて、前記ＯＦＤＭ信号のシンボル長が前記選択区間の長さ以下になるように、変調データがマッピングされるサブキャリア数を調整する調整手段と、
を具備するＯＦＤＭ送信装置。
【請求項３】
前記ＯＦＤＭ送信装置は、送信データを変調する変調手段と、変調信号を直並列変換して複数のパラレルデータを形成する直並列変換手段と、前記複数のパラレルデータを逆フーリエ変換することによりＯＦＤＭ信号を形成する逆フーリエ変換手段と、を具備し、
前記調整手段は、前記直並列変換手段にて形成される前記パラレルデータの数及び前記送信データのサンプリングレートを変更することにより、前記サブキャリア数を調整する、
請求項２に記載のＯＦＤＭ送信装置。
【請求項４】
前記ＯＦＤＭ送信装置は、送信データを変調する変調手段と、変調信号をフーリエ変換して複数の周波数成分を形成するフーリエ変換手段と、前記複数の周波数成分をそれぞれ異なるサブキャリアにマッピングするマッピング手段と、前記マッピングされた複数の周波数成分を逆フーリエ変換することによりＯＦＤＭ信号を形成する逆フーリエ変換手段と、を具備し、
前記調整手段は、前記フーリエ変換手段にて形成される前記周波数成分の数及び前記送信データのサンプリングレートを変更することにより、前記サブキャリア数を調整する、
請求項２に記載のＯＦＤＭ送信装置。
【発明の詳細な説明】
【技術分野】
【０００１】
本発明は、ＯＦＤＭ送信装置及びＯＦＤＭ受信装置に関する。
【背景技術】
【０００２】
近年、高速パケット伝送に適した無線伝送方式が検討されている。この高速パケット伝送のためには、使用周波数帯域の広帯域化が必要である。広帯域伝送を移動通信で行うと、通信チャネルは遅延時間が互いに異なる複数のパスからなる周波数選択性チャネルになることが知られている。よって、移動通信における広帯域伝送では、図１に示すように、先行するシンボルが後続のシンボルに対して干渉する符号間干渉(ＩＳＩ：Inter Symbol Interference)が発生する。この符号間干渉が発生すると、ビット誤り率(ＢＥＲ：Bit Error Rate)特性が劣化する。また、周波数選択性チャネルは、周波数帯域内でチャネル伝達関数が変動するチャネルであるため、このようなチャネルを伝搬して受信された信号のスペクトルは歪んでしまう。【０００３】
ＩＳＩの影響を除去することによりＢＥＲを改善するための技術として、周波数領域等化(ＦＤＥ：Frequency Domain Equalization)がある(例えば、非特許文献1参照)。ＦＤＥでは、受信信号ブロックを高速フーリエ変換(ＦＦＴ：Fast Fourier Transform)により直交周波数成分に分解し、各周波数成分に対しチャネル伝達関数の逆数に近似した等化重みを乗算した後、逆高速フーリエ変換(ＩＦＦＴ：Inverse Fast Fourier Transform)によって時間領域信号に変換する。このＦＤＥにより、受信信号のスペクトルの歪みを補償することができるため、結果として、ＩＳＩが低減されＢＥＲ特性が改善される。また、等化重みとしては、等化後の周波数成分と送信信号成分との平均二乗誤差を最小とする最小平均二乗誤差(MMSE：Minimum Mean Square Error)重みが、最も優れたＢＥＲ特性を与える。【０００４】
しかしながら、上記非特許文献1記載の技術では、受信信号がＦＦＴブロック長の繰り返し信号として扱える必要がある。ここで、ブロック長を１周期とした基本波形に対して、任意のｎ周期で表せる様々な波形を組み合わせることで表現できる信号を繰り返し信号と称している。このため、送信側ではシンボルブロックの後尾部分と同じ信号を、シンボルブロックの先頭に付加するガードインターバル(ＧＩ：Guard Interval)を設ける。しかし、ＧＩを設けると、ＧＩ長分だけデータ伝送レートが低下してしまう。【０００５】
そこで、良好なＢＥＲ特性を維持しつつ、伝送効率を高めることができる無線通信装置として、特許文献１に開示されているものがある。この無線通信装置は、ＧＩを有しない受信信号に対してＦＦＴを行って複数の周波数成分を得るＦＦＴ部１４と、得られた周波数成分に対して周波数等化を行うＦＤＥ部１５と、周波数領域等化後の周波数成分に対してＩＦＦＴを行って信号系列を得るＩＦＦＴ部１６と、得られた信号系列の一部を選択する選択部１７と、ＦＦＴ区間及び選択区間をそれぞれＦＦＴ部１４及び選択部１７に設定する設定部１３と、選択した信号系列に対してＦＦＴを行って複数の周波数成分を得るＦＦＴ部２１と、得られた周波数成分をシリアル系列に変換するＰ／Ｓ部２２と、シリアル系列に変換された周波数成分を復調する復調部１８と、を具備する。この構成により、良好なＢＥＲ特性を維持しつつ、伝送効率を高めることができる。  
【特許文献１】特開２００６−３０４１９２号公報
【非特許文献１】D. Falconer, S. L. Ariyavistakul, A. Benyamin-Seeyar, and B. Eidson, “Frequency domain equalization for single-carrier broadband wireless systems”, IEEE Commun. Mag., vol. 40, pp.58-66, Apr. 2002.
【発明の開示】
【発明が解決しようとする課題】
【０００６】
ところで、様々な能力（スペック、電池残量、許容サービス）を持つ無線端末と基地局との間で通信が行われる無線通信システムがある。このような無線通信システムに上記従来の無線通信装置を適用する場合には、ＢＥＲ特性を維持できない可能性がある。すなわち、上記従来の無線通信装置が効果を発揮するためには、選択区間が１ＯＦＤＭシンボル長以上である条件を満たさなければならないが、上記無線通信システムではその条件を満たすことができない可能性がある。この結果、ＢＥＲ特性が低下することにより、伝送効率も低下する問題がある。【０００７】
本発明の目的は、様々な通信能力の状態にある複数の無線通信装置の間で通信が行われる無線通信システムにおいても、良好なＢＥＲ特性を維持しつつ、伝送効率を高めることができるＯＦＤＭ送信装置及びＯＦＤＭ受信装置を提供することである。
【課題を解決するための手段】
【０００８】
本発明のＯＦＤＭ受信装置は、受信ＯＦＤＭ信号がフーリエ変換区間でフーリエ変換されることにより周波数領域の信号に変換された後に周波数領域等化処理され、更に逆フーリエ変換されることにより得られる時間領域信号の一部を復調対象の選択区間として抽出するＯＦＤＭ受信装置であって、受信ＯＦＤＭ信号のシンボル長と選択区間とのバランスを判定するバランス判定手段と、前記選択区間が前記シンボル長より短い場合、フーリエ変換区間、前記受信ＯＦＤＭ信号の最大遅延時間及び前記周波数領域等化処理におけるインパルス応答の広がりを含む、送信側へのフィードバック情報を生成するフィードバック情報生成手段と、を具備する構成を採る。【０００９】
本発明のＯＦＤＭ送信装置は、受信ＯＦＤＭ信号がフーリエ変換区間でフーリエ変換されることにより周波数領域の信号に変換された後に周波数領域等化処理され、更に逆フーリエ変換されることにより得られる時間領域信号の一部を復調対象の選択区間として抽出するＯＦＤＭ受信装置に向けてＯＦＤＭ信号を送信するＯＦＤＭ送信装置であって、フーリエ変換区間、受信ＯＦＤＭ信号の最大遅延時間及び周波数領域等化処理におけるインパルス応答の広がりを含むフィードバック情報を取得する取得手段と、前記フィードバック情報を用いて、前記ＯＦＤＭ信号のシンボル長が前記選択区間の長さ以下になるように、変調データがマッピングされるサブキャリア数を調整する調整手段と、を具備する構成を採る。
【発明の効果】
【００１０】
本発明によれば、様々な通信能力の状態にある複数の無線通信装置の間で通信が行われる無線通信システムにおいても、良好なＢＥＲ特性を維持しつつ、伝送効率を高めることができるＯＦＤＭ送信装置及びＯＦＤＭ受信装置を提供することができる。
【図面の簡単な説明】
【００１１】
【図１】ＩＳＩの説明図
【図２】ＩＳＩによる歪みの説明に供する図
【図３】本発明の実施の形態のＦＤＥの動作説明図
【図４】本発明の実施の形態１に係る無線端末装置の構成を示すブロック図
【図５】実施の形態１に係る無線端末装置の構成を示すブロック図
【図６】実施の形態１に係る基地局装置の構成を示すブロック図
【図７】実施の形態１に係る基地局装置の構成を示すブロック図
【図８】設定状態のバランスがとれた状態のシンボル長と受信ＦＦＴ区間との関係の説明に供する図
【図９】設定状態のバランスがとれていない状態のシンボル長と受信ＦＦＴ区間との関係の説明に供する図
【図１０】図９の状態から設定状態バランスをとった後の状態を示す図
【図１１】実施の形態２に係る基地局装置の構成を示すブロック図
【発明を実施するための最良の形態】
【００１２】
以下、本発明の実施の形態について図面を参照して詳細に説明する。なお、実施の形態において、同一の構成要素には同一の符号を付し、その説明は重複するので省略する。【００１３】
（実施の形態１）
まず、本実施の形態に係るＦＤＥの基本動作の原理について説明する。【００１４】
上記特許文献１にも記載されているようにこのＦＤＥにおいては、各シンボルブロックのブロック長がＮｃシンボルである場合、Ｎｃ個の等化重みｗ（ｋ）（ｋ＝０〜Ｎｃ−１）を用いる。つまり、ＦＤＥは、伝達関数をｗ（ｋ）（ｋ＝０〜Ｎｃ−１）とする線形フィルタ処理と等価である。ＦＤＥのインパルス応答は、ほぼ時刻ｔ＝０を中心として狭い範囲に集中する。【００１５】
また本実施の形態のＦＤＥでは、ＧＩを必要としない。このため、互いに異なる遅延がある複数のパスが伝搬路に存在する場合、各シンボルブロックの先頭部分に、一つ前のシンボルブロックの後尾部分からのＩＳＩが生じる。例えば、Ｌ個のパス間での遅延時間差の最大値（遅延波の最大遅延量）をΔシンボルとすると、ＩＳＩ区間はシンボルブロックの先頭からΔシンボル区間となる。このように、シンボルブロックの先頭にΔシンボル区間のＩＳＩが発生すると、ＦＦＴにおいて正しい周波数成分が得られなくなるため、ＦＤＥ後の信号系列に歪みが生じる。そして、このＩＳＩによる歪みは、インパルス応答の広がりの分だけ時間的に広がる。換言すれば、このＩＳＩによる歪みは、ＩＳＩ区間から時間的に離れた位置では無視できるほど小さい。【００１６】
よって、例えば、インパルス応答の広がりを±Ｍシンボルとすると、ＩＳＩによる歪みは図２に示すようになり、ＦＤＥ後の各シンボルブロックにおいて、ｔ＝Δ＋Ｍ〜Ｎｃ−Ｍ−１シンボル区間の歪みは無視できるほど小さくなる。よって、図３に示すように、ＦＤＥ後の各シンボルブロックにおいて、ｔ＝Δ＋Ｍ〜Ｎｃ−Ｍ−１シンボル区間の信号だけを選択すれば、各シンボルブロックにＧＩを付加しなくても、歪みのない等化後の信号を得ることができる。また、連続した等化後の信号を得るために、ＦＦＴ区間の開始点を、順次Ｎｃ−２Ｍ−Δシンボルずつシフトする。このように、複数のＦＦＴ区間を互いにオーバーラップ（重複）させて設定するとともに、各ＦＦＴ区間より短い選択区間を設定することで、ＧＩを有しない信号に対するＦＤＥにおいて、歪みのない連続した信号を得ることができる。このようにしてＧＩを必要としないＦＤＥが可能となる。この結果、送信側でのＧＩの付加が不要となるので、伝送効率を高めることができる。【００１７】
次に本実施の形態に係る無線通信システムにおける無線端末装置の要部構成について説明する。【００１８】
図４に示すように実施の形態１の無線端末装置１００は、受信無線処理部１１０と、設定部１２０と、ＩＳＩ除去処理部１３０と、マルチキャリア復調部１４０と、復調部１５０と、設定情報取得部１６０と、設定状態バランス判定部１７０と、フィードバック情報生成部１８０と、送信無線処理部１９０とを有する。【００１９】
受信無線処理部１１０は、通信相手から送信されたマルチキャリア信号を、アンテナを介して受信し、受信信号に対して所定の無線受信処理（ダウンコンバート、Ａ／Ｄ変換等）を施す。ここでのマルチキャリア信号は、ＧＩを有しないＯＦＤＭ信号である。無線処理後の信号（受信系列信号）は、設定部１２０及びＩＳＩ除去処理部１３０に出力される。【００２０】
設定部１２０は、無線処理後の信号を用いて同期処理を行うことにより得られるタイミング情報（シンボルタイミング）をＩＳＩ除去処理部１３０に出力する。更に、設定部１２０は、遅延プロファイルを用いて特定される遅延波の最大遅延量と、ＦＤＥのインパルス応答の広がりとに基づいて、ＩＳＩ除去処理部１３０に対して、Ｎｃ＝Ｎｓ＋２Ｍ＋ΔサンプルのＦＦＴ区間を設定するとともにＮｓシンボルの選択区間を設定する。また、設定部１２０は、図３に示すように、今回設定するＦＦＴ区間の開始点および選択区間の開始点を、前回設定したＦＦＴ区間の開始点および選択区間の開始点からＮｃ−２Ｍ−Δシンボルだけシフトしたタイミングに設定する。ここでは、遅延波の最大遅延量をΔシンボル、ＦＤＥのインパルス応答の広がりを±Ｍシンボルとする。Ｎｓは、通常通信相手が送信してくる送信信号のシンボル長に対応する。【００２１】
ＩＳＩ除去処理部１３０は、無線受信処理後の信号に対してＩＳＩ除去処理を施し、ＩＳＩ除去処理後の信号をマルチキャリア復調部１４０に出力する。【００２２】
ＩＳＩ除去処理部１３０は、ＦＦＴ部１３２と、ＦＤＥ部１３４と、ＩＦＦＴ部１３６と、選択部１３８とを有する。【００２３】
ＦＦＴ部１３２は、図３に示すように、設定部１２０によって設定されたＦＦＴ区間において、ＧＩを有しない受信信号系列に対してＮｃ＝Ｎｓ＋２Ｍ＋ΔのサイズのＦＦＴを行って複数の周波数成分を得る。ＦＦＴ部１３２の受信ＦＦＴ区間は、Ｎｃである。【００２４】
ＦＤＥ部１３４は、各周波数成分にＭＭＳＥ等化重みを乗算して各周波数成分に対してＦＤＥを行う。ＦＤＥ後の各周波数成分は、ＩＦＦＴ部１３６に並列に出力される。なお、ＭＭＳＥ等化重みとしては、例えば、「武田他，“周波数選択性フェージングチャネルにおける空間・周波数領域処理を用いるDS-CDMAの伝送特性（The transmission performance with space and frequency-domain process for DS-CDMA）”，電子情報通信学会技術研究報告，RCS2003-33，pp.21-25，2003-05」に記載されているものを用いる。【００２５】
ＩＦＦＴ部１３６は、ＦＤＥ後の各周波数成分に対してＩＦＦＴを行ってＦＤＥ後の信号系列を得る。【００２６】
選択部１３８は、Ｎｃシンボルの信号系列のうちの一部の信号系列、すなわち、設定部１２０によって設定された選択区間にある信号系列を選択してマルチキャリア復調部１４０に出力する。【００２７】
マルチキャリア復調部１４０は、図５に示すようにＦＦＴ部１４２と、サブキャリアデマッピング部１４４と、Ｐ／Ｓ変換部１４６とを有する。ＦＦＴ部１４２は、選択部１３８からの信号系列を時間方向から周波数方向の信号に変換する。サブキャリアデマッピング部１４４は、ＦＦＴ部１４２にて得られた周波数方向の信号のデマッピングを行う。前記デマッピングは、後述するサブキャリアマッピング部２５４に対応したマッピングパターンで行う。なお、マッピングを行わない場合もありうる。パラレル信号をＰ／Ｓ変換部１４６に出力する。Ｐ／Ｓ変換部１４６は、サブキャリアデマッピング部１４４からのパラレル信号をシリアル信号に変換し、得られた信号系列を復調部１５０に出力する。【００２８】
復調部１５０は、マルチキャリア復調部１４０からの信号系列に対して復調処理を施して受信データを得る。【００２９】
設定情報取得部１６０は、設定部１２０がＩＳＩ除去処理部１３０に設定した受信ＦＦＴ区間及び選択区間と最大遅延時間及びインパルス応答の広がりとを設定部１２０から取得すると共に、受信信号の報知チャネルに含まれる、送信側の１ＯＦＤＭシンボル長Ｎｓを取得する。【００３０】
設定状態バランス判定部１７０は、設定情報取得部１６０にて取得されたＦＦＴ区間、最大遅延時間及び１ＯＦＤＭシンボル長Ｎｓを入力する。設定状態バランス判定部１７０は、１ＯＦＤＭシンボル長Ｎｓと、選択区間（Ｎｃ−２Ｍ−Δ）とを比較することにより、送信側と受信側である無線端末装置１００との設定状態のバランスを判断する。１ＯＦＤＭシンボル長Ｎｓ＞選択区間（Ｎｃ−２Ｍ−Δ）である場合、設定状態バランス判定部１７０は、設定状態のバランスがとれていないと判断し、送信側の設定変更に利用されるフィードバック情報の生成命令信号をフィードバック情報生成部１８０に出力する。【００３１】
フィードバック情報生成部１８０は、設定状態バランス判定部１７０から生成命令信号を受け取ると、受信ＦＦＴ区間Ｎｃ、最大遅延時間Δ及びインパルス応答の広がりＭを含むフィードバック情報を生成する。【００３２】
送信無線処理部１９０は、フィードバック情報生成部１８０にて生成されたフィードバック情報を、無線送信処理を施した後にアンテナを介して送信する。【００３３】
図６に示すように実施の形態１の基地局装置２００は、受信無線処理部２１０と、設定部２２０と、送信信号生成部２３０と、変調部２４０と、マルチキャリア変調部２５０と、送信無線処理部２６０とを有する。【００３４】
受信無線処理部２１０は、通信相手である無線端末装置１００から送信された信号を、アンテナを介して受信し、受信信号に対して所定の無線受信処理（ダウンコンバート、Ａ／Ｄ変換等）を施す。無線処理後の信号は、設定部２２０に出力される。【００３５】
設定部２２０は、受信無線処理部２１０からの無線処理後の信号に、無線端末装置１００のフィードバック情報生成部１８０にて生成されたフィードバック情報が含まれる場合には、設定状態にアンバランスがあると認識し、そのアンバランスを解消するためにシンボルデータサイズを変更する。具体的には、設定部２２０は、フィードバック情報に含まれる受信ＦＦＴ区間Ｎｃ、最大遅延時間Δ及びインパルス応答の広がりＭを受け取り、１ＯＦＤＭシンボル長Ｎｓ≦選択区間（Ｎｃ−２Ｍ−Δ）の条件を満たすように、１ＯＦＤＭシンボル長Ｎｓを変更する。更に設定部２２０は、変更後のＮｓを用いてサンプリングレートＮｓ／Ｎｃを算出する。そして、設定部２２０は、変更後のＮｓをマルチキャリア変調部２５０に設定すると共に、算出されたサンプリングレートを送信信号生成部２３０に設定する。こうして設定状態のアンバランスに起因して受信側の無線端末装置１００で起こるＢＥＲの低下を防止することができる。【００３６】
送信信号生成部２３０では、設定部２２０にて設定されたサンプリングレートに従ったサンプリングが行われることにより、送信データが生成される。【００３７】
変調部２４０は、送信信号生成部２３０にて生成された送信データに対して変調を行い、変調後の信号をマルチキャリア変調部２５０に出力する。【００３８】
マルチキャリア変調部２５０は、設定部２２０により設定されたシンボルデータサイズに従って、変調後の信号をマッピングするサブキャリア数を調整する。そして、マルチキャリア変調部２５０は、調整されたサブキャリア数のサブキャリアに変調信号をマッピングした後、周波数方向から時間方向に変換することによりマルチキャリア信号（ここでは、ＯＦＤＭ信号）を形成する。このマルチキャリア信号は、送信無線処理部２６０に出力される。【００３９】
具体的には、マルチキャリア変調部２５０は、図７に示すようにＳ／Ｐ変換部２５２と、サブキャリアマッピング部２５４と、ＩＦＦＴ部２５６とを有する。【００４０】
Ｓ／Ｐ変換部２５２は、設定部２２０にて設定されたシンボルデータサイズに従って、１つのシリアルデータ系列から形成するパラレルデータ系列の数（以下、「分割数」と呼ぶことがある）を調整する。Ｓ／Ｐ変換部２５２は、変調後の送信データ系列を調整後の分割数に応じたパラレル系列に変換する。【００４１】
サブキャリアマッピング部２５４は、Ｓ／Ｐ変換部２５２にて形成された各パラレル系列をそれぞれ対応するサブキャリアにマッピングすることにより、パラレル信号を形成する。【００４２】
ＩＦＦＴ部２５６は、サブキャリアマッピング部２５４からのパラレル信号を周波数方向から時間方向に変換することにより、マルチキャリア信号（ここでは、ＯＦＤＭ信号）を形成する。【００４３】
送信無線処理部２６０は、ＩＦＦＴ部２５６で形成されたマルチキャリア信号を、無線送信処理を施した後にアンテナを介して送信する。【００４４】
次に上記構成を有する無線端末装置１００及び基地局装置２００からなる無線通信システムにおける動作について説明する。【００４５】
基地局装置２００から無線端末装置１００に向けて下りデータ伝送を行う場合、無線端末装置１００では設定部１２０が、遅延プロファイルを用いて特定される遅延波の最大遅延量と、ＦＤＥのインパルス応答の広がりとに基づいて、ＩＳＩ除去処理部１３０に対して、Ｎｃ＝Ｎｓ＋２Ｍ＋ΔサンプルのＦＦＴ区間を設定すると共にＮｓシンボルの選択区間を設定する。そして、ＦＦＴ部１３２及び選択部１３８がこれらの設定値に基づいて所定の処理をそれぞれ行うことにより、無線端末装置１００は受信データを得ることができる。【００４６】
ここで、無線端末装置１００が精度良く復調して受信データを得るためには、選択部１３８にて選択される選択区間は、送信側にて形成される送信信号の１シンボル長以上である必要がある。即ち、Ｎｓ≦（Ｎｃ−２Ｍ−Δ）の条件を満たす必要がある。【００４７】
しかしながら、無線通信システムの特徴、無線端末装置１００及び基地局装置２００の設定状態によっては、受信側の無線端末装置１００だけでは上記条件を満たす状態にできない場合が考えられる。無線通信システムによっては、様々な通信能力（スペック、電池残量、許容サービス）の状態にある、無線端末装置１００及び基地局装置２００が混在する場合が考えられる。【００４８】
第１の例としては、５ＭＨｚ、１０ＭＨｚ、２０ＭＨｚの受信限度を持つ無線端末装置１００が混在する一方、基地局装置２００は、２０ＭＨｚの送信帯域を送信する能力を有しており、各無線端末装置１００に帯域を割り当てるような無線通信システムが考えられる。この場合、基地局装置２００が２０ＭＨｚの送信に対応するシンボル長で信号を伝送しても、５ＭＨｚ、１０ＭＨｚの受信能力しか持たない無線端末装置１００はその伝送信号を受信することができない。即ち、この場合には、Ｎｓ＞（Ｎｃ−２Ｍ−Δ）の関係が成り立ち、送信側と受信側との間で設定状態のアンバランスが生じていることになる。【００４９】
また、第２の例としては、電池残量などに応じて無線端末装置１００が受信帯域幅を変更するような場合である。即ち、通信能力としては送信側と受信側とでバランスがとれている場合でも、受信側の無線端末装置１００に設定されている許容通信能力にアンバランスが生じることが考えられる。【００５０】
即ち、図８に示すようにＮｓ≦（Ｎｃ−２Ｍ−Δ）を満たす場合には、受信側の無線端末装置１００は、基地局装置２００からの送信信号を精度良く受信することができる。しかしながら、上記例のような場合には、図９に示すようにＮｓ＞（Ｎｃ−２Ｍ−Δ）になってしまう。この場合、無線端末装置１００が受信ＦＦＴ区間及び選択区間を拡げることも考えられるが、そもそも受信ＦＦＴ区間及び選択区間が無線端末装置１００に許容されている限度である場合にはそれも許されない。【００５１】
そこで本実施の形態では、送信側と受信側との設定状態がアンバランスである場合には、送信側へのフィードバック情報が送信される。具体的には、設定情報取得部１６０により集められた受信ＦＦＴ区間、選択区間、最大遅延時間を用いて、設定状態バランス判定部１７０が設定状態のバランスを判定する。この判定結果、アンバランス状態である場合、フィードバック情報生成部１８０が受信ＦＦＴ区間Ｎｃ、最大遅延時間Δ及びインパルス応答の広がりＭを含むフィードバック情報を生成し、生成されたフィードバック情報を送信側に送信する。【００５２】
送信側の基地局装置２００においては、設定部２２０がアンバランスを解消するためにシンボルデータサイズを変更する。具体的には、設定部２２０は、フィードバック情報に含まれる受信ＦＦＴ区間Ｎｃ、最大遅延時間Δ及びインパルス応答の広がりＭを受け取り、１ＯＦＤＭシンボル長Ｎｓ≦選択区間（Ｎｃ−２Ｍ−Δ）の条件を満たすように、１ＯＦＤＭシンボル長Ｎｓを変更する。更に設定部２２０は、変更後のＮｓを用いてサンプリングレートＮｓ／Ｎｃを算出する。そして、設定部２２０は、変更後のＮｓをマルチキャリア変調部２５０に設定すると共に、算出されたサンプリングレートを送信信号生成部２３０に設定する。【００５３】
こうすることにより、図１０に示すように１ＯＦＤＭシンボル長Ｎｓ≦選択区間（Ｎｃ−２Ｍ−Δ）を満たすようになるので、送信側と受信側との設定状態がバランスのとれた状態になる。こうして設定状態のアンバランスに起因して受信側の無線端末装置１００で起こるＢＥＲの低下を防止することができる。【００５４】
このように本実施の形態によれば、受信ＯＦＤＭ信号が受信フーリエ変換区間でフーリエ変換されることにより周波数領域の信号に変換された後に周波数領域等化処理され、更に逆フーリエ変換されることにより得られる時間領域信号の一部を復調対象の選択区間として抽出するＯＦＤＭ受信装置としての無線端末装置１００に、受信ＯＦＤＭ信号のシンボル長と選択区間とのバランスを判定する設定状態バランス判定部１７０と、前記選択区間が前記シンボル長より短い場合、受信フーリエ変換区間、前記受信ＯＦＤＭ信号の最大遅延時間及び前記周波数領域等化処理におけるインパルス応答の広がりを含む、送信側へのフィードバック情報を生成するフィードバック情報生成部１８０と、を設けた。【００５５】
こうすることにより、受信側の無線端末装置１００に設定されている受信ＦＦＴ区間及び選択区間が無線端末装置１００に許容されている限度である場合でも、受信ＦＦＴ区間Ｎｃ、最大遅延時間Δ及びインパルス応答の広がりＭを含むフィードバック情報が送信側に送信され、このフィードバック情報を用いて送信側がシンボル長を調整することができるので、設定状態のアンバランスに起因して受信側の無線端末装置１００で起こるＢＥＲの低下を防止することができる。【００５６】
また本実施の形態によれば、受信ＯＦＤＭ信号が受信ＦＦＴ区間でフーリエ変換されることにより周波数領域の信号に変換された後に周波数領域等化処理され、更に逆フーリエ変換されることにより得られる時間領域信号の一部を復調対象の選択区間として抽出するＯＦＤＭ受信装置に向けてＯＦＤＭ信号を送信するＯＦＤＭ送信装置としての基地局装置２００に、受信ＦＦＴ区間、受信ＯＦＤＭ信号の最大遅延時間及び周波数領域等化処理におけるインパルス応答の広がりを含むフィードバック情報を取得する取得手段としての受信無線処理部２１０と、前記フィードバック情報を用いて、前記ＯＦＤＭ信号のシンボル長が前記選択区間の長さ以下になるように、変調データがマッピングされるサブキャリア数を調整する調整手段としての設定部２２０と、を設けた。【００５７】
こうすることにより、受信側の無線端末装置１００に設定されている受信ＦＦＴ区間及び選択区間が無線端末装置１００に許容されている限度である場合でも、受信ＦＦＴ区間Ｎｃ、最大遅延時間Δ及びインパルス応答の広がりＭを含むフィードバック情報が送信側に送信され、このフィードバック情報を用いて送信側がシンボル長を調整することができるので、設定状態のアンバランスに起因して受信側の無線端末装置１００で起こるＢＥＲの低下を防止することができる。【００５８】
更に基地局装置２００は、送信データを変調する変調部２４０と、変調信号を直並列変換して複数のパラレルデータを形成するＳ／Ｐ変換部２５２と、前記複数のパラレルデータを逆フーリエ変換することによりＯＦＤＭ信号を形成するＩＦＦＴ部２５６と、を具備し、設定部２２０は、Ｓ／Ｐ変換部２５２にて形成される前記パラレルデータの数及び送信信号生成部２３０での送信データのサンプリングレートを変更することにより、サブキャリア数を調整する。【００５９】
（実施の形態２）
実施の形態２では、通信方式としてＳＣ−ＦＤＭＡ（Single-Carrier Frequency Division Multiple Access）が適用される場合について説明する。受信側の無線端末装置は、実施の形態１の無線端末装置１００と基本的に同じであるが、マルチキャリア復調部１４０で使用するＰ／Ｓ変換部１４６のみＩＦＦＴ部と置き換わることになる。すなわち、ＦＦＴ部１４２で信号系列を時間方向から周波数方向へ変換し、サブキャリアデマッピング部１４４でデマッピングを行い、ＩＦＦＴ部で周波数方向から時間方向へ変換し、得られた信号系列を復調部１５０に出力する。なお、前記デマッピングは、後述のサブキャリアマッピング部３５４に対応したマッピングパターンで行う。なお、マッピングを行わない場合もありうる。【００６０】
図１１に示すように実施の形態２の基地局装置３００は、マルチキャリア変調部３５０を有する。【００６１】
マルチキャリア変調部３５０は、設定部２２０により設定されたシンボルデータサイズに従って、変調後の信号をマッピングするサブキャリア数を調整する。そして、マルチキャリア変調部３５０は、調整されたサブキャリア数のサブキャリアに変調信号をマッピングした後、周波数方向から時間方向に変換することによりマルチキャリア信号（ここでは、ＯＦＤＭ信号）を形成する。このマルチキャリア信号は、送信無線処理部２６０に出力される。【００６２】
具体的には、マルチキャリア変調部３５０は、図１１に示すようにＦＦＴ部３５２と、サブキャリアマッピング部３５４と、ＩＦＦＴ部３５６とを有する。【００６３】
ＦＦＴ部３５２は、変調部２４０によって変調されたデータに対して、ＦＦＴ処理を施す。この処理によって、データは時間領域の信号から周波数領域の信号に変換される。ＦＦＴ部３５２は、設定部２２０にて設定されたシンボルデータサイズに従って、１シンボルから形成される成分の数（以下、「分割数」と呼ぶことがある）を調整する。周波数領域に変換されたデータは、Ｋ個（分割数に対応）の周波数にそれぞれ対応するＫ個の成分から構成される。【００６４】
サブキャリアマッピング部３５４では、ＦＦＴ部３５２で形成されたデータの各成分が、対応するサブキャリアに割り当てられた信号としてそのまま出力される。【００６５】
ＩＦＦＴ部３５６は、サブキャリアマッピング部３５４から出力された信号に対してＩＦＦＴ処理を施す。この処理によって、データは、周波数領域の信号から時間領域の信号に逆変換される。【００６６】
このように本実施の形態によれば、ＯＦＤＭ送信装置としての基地局装置３００に、送信データを変調する変調部２４０と、変調信号をフーリエ変換して複数の周波数成分を形成するＦＦＴ部３５２と、前記複数の周波数成分をそれぞれ異なるサブキャリアにマッピングするサブキャリアマッピング部３５４と、前記マッピングされた複数の周波数成分を逆フーリエ変換することによりＯＦＤＭ信号を形成するＩＦＦＴ部３５６と、を設け、設定部２２０は、ＦＦＴ部３５２にて形成される前記周波数成分の数及び送信信号生成部２３０での送信データのサンプリングレートを変更することにより、サブキャリア数を調整する。【００６７】
（他の実施の形態）
なお、実施の形態１及び実施の形態２における、時間領域の信号から周波数領域の信号への変換には、ＦＦＴの他に、ＤＦＴ、離散フーリエ変換等、他の周波数変換方式を用いてもよい。また、周波数領域の信号から時間領域の信号への変換には、ＩＦＦＴの他に、ＩＤＦＴ、離散逆フーリエ変換等、他の時間変換方式を用いてもよい。また、ＦＦＴ区間は、ＦＦＴ窓と表されることがある。また、循環畳み込みをＤＦＴすると単なる積になる、いわゆる畳み込み定理を用いて、時間領域信号の畳み込み演算を周波数領域信号の積に置き換える、あるいは、時間領域信号の積を周波数領域信号の畳み込みに置き換えてもよい。これにより、上記の信号変換処理の代替を考慮した構成としてもよい。【００６８】
また、本発明はＭＭＳＥ−ＦＤＥに限らず、ＺＦ−ＦＤＥ等、他のＦＤＥに対しても同様に適用することができる。また、本発明はＦＤＥを用いる他のディジタル伝送方式(例えば、ＭＣ−ＣＤＭＡ、ＤＳ−ＣＤＭＡ、ＩＦＤＭＡ、Ｗａｖｅｌｅｔ−ＯＦＤＭ、等)に同様に適用することができる。【００６９】
また実施の形態１及び実施の形態２では、ハードウェアで構成する場合を例にとって説明したが、ソフトウェアで実現することも可能である。【００７０】
また実施の形態１及び実施の形態２に用いた各機能ブロックは、典型的には集積回路であるＬＳＩとして実現されることが可能である。これは１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路または汎用プロセッサで実現してもよい。ＬＳＩ製造後に、プログラムすることが可能なＦＰＧＡや、ＬＳＩ内部の回路セルの接続や設定を再構成可能なリコンフィギュラブル・プロセッサーを利用してもよい。さらには、半導体技術の進歩または派生する別技術によりLSIに置き換わる集積回路化の技術が登場すれば、当然、その技術を用いて機能ブロックの集積化を行ってもよい。バイオ技術の適用等が可能性としてありえる。【００７１】
また実施の形態１及び実施の形態２において、予め設定した範囲をもつ選択区間で分類したテーブルあるいはコードブック等を送受信側で所持し、該当範囲番号のみをフィードバックする、いわゆるプレコーディングを行うことで、フィードバック情報量を削減することも可能である。
【産業上の利用可能性】
【００７２】
本発明のＯＦＤＭ送信装置及びＯＦＤＭ受信装置は、様々な通信能力の状態にある複数の無線通信装置の間で通信が行われる無線通信システムにおいても、良好なＢＥＲ特性を維持しつつ、伝送効率を高めることができるものとして有用である。
【図１】
2008139624.tif 000003
【図２】
2008139624.tif 000004
【図３】
2008139624.tif 000005
【図４】
2008139624.tif 000006
【図５】
2008139624.tif 000007
【図６】
2008139624.tif 000008
【図７】
2008139624.tif 000009
【図８】
2008139624.tif 000010
【図９】
2008139624.tif 000011
【図１０】
2008139624.tif 000012
【図１１】
2008139624.tif 000013
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
受信ＯＦＤＭ信号がフーリエ変換区間でフーリエ変換されることにより周波数領域の信号に変換された後に周波数領域等化処理され、更に逆フーリエ変換されることにより得られる時間領域信号の一部を復調対象の選択区間として抽出するＯＦＤＭ受信装置であって、
受信ＯＦＤＭ信号のシンボル長と選択区間とのバランスを判定するバランス判定手段と、
前記選択区間が前記シンボル長より短い場合、フーリエ変換区間、前記受信ＯＦＤＭ信号の最大遅延時間及び前記周波数領域等化処理におけるインパルス応答の広がりを含む、送信側へのフィードバック情報を生成するフィードバック情報生成手段と、
を具備するＯＦＤＭ受信装置。
【請求項２】
受信ＯＦＤＭ信号がフーリエ変換区間でフーリエ変換されることにより周波数領域の信号に変換された後に周波数領域等化処理され、更に逆フーリエ変換されることにより得られる時間領域信号の一部を復調対象の選択区間として抽出するＯＦＤＭ受信装置に向けてＯＦＤＭ信号を送信するＯＦＤＭ送信装置であって、
フーリエ変換区間、受信ＯＦＤＭ信号の最大遅延時間及び周波数領域等化処理におけるインパルス応答の広がりを含むフィードバック情報を取得する取得手段と、
前記フィードバック情報を用いて、前記ＯＦＤＭ信号のシンボル長が前記選択区間の長さ以下になるように、変調データがマッピングされるサブキャリア数を調整する調整手段と、
を具備するＯＦＤＭ送信装置。
【請求項３】
前記ＯＦＤＭ送信装置は、送信データを変調する変調手段と、変調信号を直並列変換して複数のパラレルデータを形成する直並列変換手段と、前記複数のパラレルデータを逆フーリエ変換することによりＯＦＤＭ信号を形成する逆フーリエ変換手段と、を具備し、
前記調整手段は、前記直並列変換手段にて形成される前記パラレルデータの数及び前記送信データのサンプリングレートを変更することにより、前記サブキャリア数を調整する、
請求項２に記載のＯＦＤＭ送信装置。
【請求項４】
前記ＯＦＤＭ送信装置は、送信データを変調する変調手段と、変調信号をフーリエ変換して複数の周波数成分を形成するフーリエ変換手段と、前記複数の周波数成分をそれぞれ異なるサブキャリアにマッピングするマッピング手段と、前記マッピングされた複数の周波数成分を逆フーリエ変換することによりＯＦＤＭ信号を形成する逆フーリエ変換手段と、を具備し、
前記調整手段は、前記フーリエ変換手段にて形成される前記周波数成分の数及び前記送信データのサンプリングレートを変更することにより、前記サブキャリア数を調整する、
請求項２に記載のＯＦＤＭ送信装置。
【手続補正２】
【補正対象書類名】明細書
【補正対象項目名】全文
【補正方法】変更
【補正の内容】
【発明の詳細な説明】
【技術分野】
【０００１】
本発明は、ＯＦＤＭ送信装置及びＯＦＤＭ受信装置に関する。
【背景技術】
【０００２】
近年、高速パケット伝送に適した無線伝送方式が検討されている。この高速パケット伝送のためには、使用周波数帯域の広帯域化が必要である。広帯域伝送を移動通信で行うと、通信チャネルは遅延時間が互いに異なる複数のパスからなる周波数選択性チャネルになることが知られている。よって、移動通信における広帯域伝送では、図１に示すように、先行するシンボルが後続のシンボルに対して干渉する符号間干渉(ＩＳＩ：Inter Symbol Interference)が発生する。この符号間干渉が発生すると、ビット誤り率(ＢＥＲ：Bit Error Rate)特性が劣化する。また、周波数選択性チャネルは、周波数帯域内でチャネル伝達関数が変動するチャネルであるため、このようなチャネルを伝搬して受信された信号のスペクトルは歪んでしまう。
【０００３】
ＩＳＩの影響を除去することによりＢＥＲを改善するための技術として、周波数領域等化(ＦＤＥ：Frequency Domain Equalization)がある(例えば、非特許文献1参照)。ＦＤＥでは、受信信号ブロックを高速フーリエ変換(ＦＦＴ：Fast Fourier Transform)により直交周波数成分に分解し、各周波数成分に対しチャネル伝達関数の逆数に近似した等化重みを乗算した後、逆高速フーリエ変換(ＩＦＦＴ：Inverse Fast Fourier Transform)によって時間領域信号に変換する。このＦＤＥにより、受信信号のスペクトルの歪みを補償することができるため、結果として、ＩＳＩが低減されＢＥＲ特性が改善される。また、等化重みとしては、等化後の周波数成分と送信信号成分との平均二乗誤差を最小とする最小平均二乗誤差(MMSE：Minimum Mean Square Error)重みが、最も優れたＢＥＲ特性を与える。
【０００４】
しかしながら、上記非特許文献1記載の技術では、受信信号がＦＦＴブロック長の繰り返し信号として扱える必要がある。ここで、ブロック長を１周期とした基本波形に対して、任意のｎ周期で表せる様々な波形を組み合わせることで表現できる信号を繰り返し信号と称している。このため、送信側ではシンボルブロックの後尾部分と同じ信号を、シンボルブロックの先頭に付加するガードインターバル(ＧＩ：Guard Interval)を設ける。しかし、ＧＩを設けると、ＧＩ長分だけデータ伝送レートが低下してしまう。
【０００５】
そこで、良好なＢＥＲ特性を維持しつつ、伝送効率を高めることができる無線通信装置として、特許文献１に開示されているものがある。この無線通信装置は、ＧＩを有しない受信信号に対してＦＦＴを行って複数の周波数成分を得るＦＦＴ部１４と、得られた周波数成分に対して周波数等化を行うＦＤＥ部１５と、周波数領域等化後の周波数成分に対してＩＦＦＴを行って信号系列を得るＩＦＦＴ部１６と、得られた信号系列の一部を選択する選択部１７と、ＦＦＴ区間及び選択区間をそれぞれＦＦＴ部１４及び選択部１７に設定する設定部１３と、選択した信号系列に対してＦＦＴを行って複数の周波数成分を得るＦＦＴ部２１と、得られた周波数成分をシリアル系列に変換するＰ／Ｓ部２２と、シリアル系列に変換された周波数成分を復調する復調部１８と、を具備する。この構成により、良好なＢＥＲ特性を維持しつつ、伝送効率を高めることができる。  
【特許文献１】特開２００６−３０４１９２号公報
【非特許文献１】D. Falconer, S. L. Ariyavistakul, A. Benyamin-Seeyar, and B. Eidson, “Frequency domain equalization for single-carrier broadband wireless systems”, IEEE Commun. Mag., vol. 40, pp.58-66, Apr. 2002.
【発明の開示】
【発明が解決しようとする課題】
【０００６】
ところで、様々な能力（スペック、電池残量、許容サービス）を持つ無線端末と基地局との間で通信が行われる無線通信システムがある。このような無線通信システムに上記従来の無線通信装置を適用する場合には、ＢＥＲ特性を維持できない可能性がある。すなわち、上記従来の無線通信装置が効果を発揮するためには、選択区間が１ＯＦＤＭシンボル長以上である条件を満たさなければならないが、上記無線通信システムではその条件を満たすことができない可能性がある。この結果、ＢＥＲ特性が低下することにより、伝送効率も低下する問題がある。
【０００７】
本発明の目的は、様々な通信能力の状態にある複数の無線通信装置の間で通信が行われる無線通信システムにおいても、良好なＢＥＲ特性を維持しつつ、伝送効率を高めることができるＯＦＤＭ送信装置及びＯＦＤＭ受信装置を提供することである。
【課題を解決するための手段】
【０００８】
本発明のＯＦＤＭ受信装置は、受信ＯＦＤＭ信号がフーリエ変換区間でフーリエ変換されることにより周波数領域の信号に変換された後に周波数領域等化処理され、更に逆フーリエ変換されることにより得られる時間領域信号の一部を復調対象の選択区間として抽出するＯＦＤＭ受信装置であって、受信ＯＦＤＭ信号のシンボル長と選択区間とのバランスを判定するバランス判定手段と、前記選択区間が前記シンボル長より短い場合、フーリエ変換区間、前記受信ＯＦＤＭ信号の最大遅延時間及び前記周波数領域等化処理におけるインパルス応答の広がりを含む、送信側へのフィードバック情報を生成するフィードバック情報生成手段と、を具備する構成を採る。
【０００９】
本発明のＯＦＤＭ送信装置は、受信ＯＦＤＭ信号がフーリエ変換区間でフーリエ変換されることにより周波数領域の信号に変換された後に周波数領域等化処理され、更に逆フーリエ変換されることにより得られる時間領域信号の一部を復調対象の選択区間として抽出するＯＦＤＭ受信装置に向けてＯＦＤＭ信号を送信するＯＦＤＭ送信装置であって、フーリエ変換区間、受信ＯＦＤＭ信号の最大遅延時間及び周波数領域等化処理におけるインパルス応答の広がりを含むフィードバック情報を取得する取得手段と、前記フィードバック情報を用いて、前記ＯＦＤＭ信号のシンボル長が前記選択区間の長さ以下になるように、変調データがマッピングされるサブキャリア数を調整する調整手段と、を具備する構成を採る。
【発明の効果】
【００１０】
本発明によれば、様々な通信能力の状態にある複数の無線通信装置の間で通信が行われる無線通信システムにおいても、良好なＢＥＲ特性を維持しつつ、伝送効率を高めることができるＯＦＤＭ送信装置及びＯＦＤＭ受信装置を提供することができる。
【発明を実施するための最良の形態】
【００１１】
以下、本発明の実施の形態について図面を参照して詳細に説明する。なお、実施の形態において、同一の構成要素には同一の符号を付し、その説明は重複するので省略する。
【００１２】
（実施の形態１）
まず、本実施の形態に係るＦＤＥの基本動作の原理について説明する。
【００１３】
上記特許文献１にも記載されているようにこのＦＤＥにおいては、各シンボルブロックのブロック長がＮｃシンボルである場合、Ｎｃ個の等化重みｗ（ｋ）（ｋ＝０〜Ｎｃ−１）を用いる。つまり、ＦＤＥは、伝達関数をｗ（ｋ）（ｋ＝０〜Ｎｃ−１）とする線形フィルタ処理と等価である。ＦＤＥのインパルス応答は、ほぼ時刻ｔ＝０を中心として狭い範囲に集中する。
【００１４】
また本実施の形態のＦＤＥでは、ＧＩを必要としない。このため、互いに異なる遅延がある複数のパスが伝搬路に存在する場合、各シンボルブロックの先頭部分に、一つ前のシンボルブロックの後尾部分からのＩＳＩが生じる。例えば、Ｌ個のパス間での遅延時間差の最大値（遅延波の最大遅延量）をΔシンボルとすると、ＩＳＩ区間はシンボルブロックの先頭からΔシンボル区間となる。このように、シンボルブロックの先頭にΔシンボル区間のＩＳＩが発生すると、ＦＦＴにおいて正しい周波数成分が得られなくなるため、ＦＤＥ後の信号系列に歪みが生じる。そして、このＩＳＩによる歪みは、インパルス応答の広がりの分だけ時間的に広がる。換言すれば、このＩＳＩによる歪みは、ＩＳＩ区間から時間的に離れた位置では無視できるほど小さい。
【００１５】
よって、例えば、インパルス応答の広がりを±Ｍシンボルとすると、ＩＳＩによる歪みは図２に示すようになり、ＦＤＥ後の各シンボルブロックにおいて、ｔ＝Δ＋Ｍ〜Ｎｃ−Ｍ−１シンボル区間の歪みは無視できるほど小さくなる。よって、図３に示すように、ＦＤＥ後の各シンボルブロックにおいて、ｔ＝Δ＋Ｍ〜Ｎｃ−Ｍ−１シンボル区間の信号だけを選択すれば、各シンボルブロックにＧＩを付加しなくても、歪みのない等化後の信号を得ることができる。また、連続した等化後の信号を得るために、ＦＦＴ区間の開始点を、順次Ｎｃ−２Ｍ−Δシンボルずつシフトする。このように、複数のＦＦＴ区間を互いにオーバーラップ（重複）させて設定するとともに、各ＦＦＴ区間より短い選択区間を設定することで、ＧＩを有しない信号に対するＦＤＥにおいて、歪みのない連続した信号を得ることができる。このようにしてＧＩを必要としないＦＤＥが可能となる。この結果、送信側でのＧＩの付加が不要となるので、伝送効率を高めることができる。
【００１６】
次に本実施の形態に係る無線通信システムにおける無線端末装置の要部構成について説明する。
【００１７】
図４に示すように実施の形態１の無線端末装置１００は、受信無線処理部１１０と、設定部１２０と、ＩＳＩ除去処理部１３０と、マルチキャリア復調部１４０と、復調部１５０と、設定情報取得部１６０と、設定状態バランス判定部１７０と、フィードバック情報生成部１８０と、送信無線処理部１９０とを有する。
【００１８】
受信無線処理部１１０は、通信相手から送信されたマルチキャリア信号を、アンテナを介して受信し、受信信号に対して所定の無線受信処理（ダウンコンバート、Ａ／Ｄ変換等）を施す。ここでのマルチキャリア信号は、ＧＩを有しないＯＦＤＭ信号である。無線処
理後の信号（受信系列信号）は、設定部１２０及びＩＳＩ除去処理部１３０に出力される。
【００１９】
設定部１２０は、無線処理後の信号を用いて同期処理を行うことにより得られるタイミング情報（シンボルタイミング）をＩＳＩ除去処理部１３０に出力する。更に、設定部１２０は、遅延プロファイルを用いて特定される遅延波の最大遅延量と、ＦＤＥのインパルス応答の広がりとに基づいて、ＩＳＩ除去処理部１３０に対して、Ｎｃ＝Ｎｓ＋２Ｍ＋ΔサンプルのＦＦＴ区間を設定するとともにＮｓシンボルの選択区間を設定する。また、設定部１２０は、図３に示すように、今回設定するＦＦＴ区間の開始点および選択区間の開始点を、前回設定したＦＦＴ区間の開始点および選択区間の開始点からＮｃ−２Ｍ−Δシンボルだけシフトしたタイミングに設定する。ここでは、遅延波の最大遅延量をΔシンボル、ＦＤＥのインパルス応答の広がりを±Ｍシンボルとする。Ｎｓは、通常通信相手が送信してくる送信信号のシンボル長に対応する。
【００２０】
ＩＳＩ除去処理部１３０は、無線受信処理後の信号に対してＩＳＩ除去処理を施し、ＩＳＩ除去処理後の信号をマルチキャリア復調部１４０に出力する。
【００２１】
ＩＳＩ除去処理部１３０は、ＦＦＴ部１３２と、ＦＤＥ部１３４と、ＩＦＦＴ部１３６と、選択部１３８とを有する。
【００２２】
ＦＦＴ部１３２は、図３に示すように、設定部１２０によって設定されたＦＦＴ区間において、ＧＩを有しない受信信号系列に対してＮｃ＝Ｎｓ＋２Ｍ＋ΔのサイズのＦＦＴを行って複数の周波数成分を得る。ＦＦＴ部１３２の受信ＦＦＴ区間は、Ｎｃである。
【００２３】
ＦＤＥ部１３４は、各周波数成分にＭＭＳＥ等化重みを乗算して各周波数成分に対してＦＤＥを行う。ＦＤＥ後の各周波数成分は、ＩＦＦＴ部１３６に並列に出力される。なお、ＭＭＳＥ等化重みとしては、例えば、「武田他，“周波数選択性フェージングチャネルにおける空間・周波数領域処理を用いるDS-CDMAの伝送特性（The transmission performance with space and frequency-domain process for DS-CDMA）”，電子情報通信学会技術研究報告，RCS2003-33，pp.21-25，2003-05」に記載されているものを用いる。
【００２４】
ＩＦＦＴ部１３６は、ＦＤＥ後の各周波数成分に対してＩＦＦＴを行ってＦＤＥ後の信号系列を得る。
【００２５】
選択部１３８は、Ｎｃシンボルの信号系列のうちの一部の信号系列、すなわち、設定部１２０によって設定された選択区間にある信号系列を選択してマルチキャリア復調部１４０に出力する。
【００２６】
マルチキャリア復調部１４０は、図５に示すようにＦＦＴ部１４２と、サブキャリアデマッピング部１４４と、Ｐ／Ｓ変換部１４６とを有する。ＦＦＴ部１４２は、選択部１３８からの信号系列を時間方向から周波数方向の信号に変換する。サブキャリアデマッピング部１４４は、ＦＦＴ部１４２にて得られた周波数方向の信号のデマッピングを行う。前記デマッピングは、後述するサブキャリアマッピング部２５４に対応したマッピングパターンで行う。なお、マッピングを行わない場合もありうる。パラレル信号をＰ／Ｓ変換部１４６に出力する。Ｐ／Ｓ変換部１４６は、サブキャリアデマッピング部１４４からのパラレル信号をシリアル信号に変換し、得られた信号系列を復調部１５０に出力する。
【００２７】
復調部１５０は、マルチキャリア復調部１４０からの信号系列に対して復調処理を施して受信データを得る。
【００２８】
設定情報取得部１６０は、設定部１２０がＩＳＩ除去処理部１３０に設定した受信ＦＦＴ区間及び選択区間と最大遅延時間及びインパルス応答の広がりとを設定部１２０から取得すると共に、受信信号の報知チャネルに含まれる、送信側の１ＯＦＤＭシンボル長Ｎｓを取得する。
【００２９】
設定状態バランス判定部１７０は、設定情報取得部１６０にて取得されたＦＦＴ区間、最大遅延時間及び１ＯＦＤＭシンボル長Ｎｓを入力する。設定状態バランス判定部１７０は、１ＯＦＤＭシンボル長Ｎｓと、選択区間（Ｎｃ−２Ｍ−Δ）とを比較することにより、送信側と受信側である無線端末装置１００との設定状態のバランスを判断する。１ＯＦＤＭシンボル長Ｎｓ＞選択区間（Ｎｃ−２Ｍ−Δ）である場合、設定状態バランス判定部１７０は、設定状態のバランスがとれていないと判断し、送信側の設定変更に利用されるフィードバック情報の生成命令信号をフィードバック情報生成部１８０に出力する。
【００３０】
フィードバック情報生成部１８０は、設定状態バランス判定部１７０から生成命令信号を受け取ると、受信ＦＦＴ区間Ｎｃ、最大遅延時間Δ及びインパルス応答の広がりＭを含むフィードバック情報を生成する。
【００３１】
送信無線処理部１９０は、フィードバック情報生成部１８０にて生成されたフィードバック情報を、無線送信処理を施した後にアンテナを介して送信する。
【００３２】
図６に示すように実施の形態１の基地局装置２００は、受信無線処理部２１０と、設定部２２０と、送信信号生成部２３０と、変調部２４０と、マルチキャリア変調部２５０と、送信無線処理部２６０とを有する。
【００３３】
受信無線処理部２１０は、通信相手である無線端末装置１００から送信された信号を、アンテナを介して受信し、受信信号に対して所定の無線受信処理（ダウンコンバート、Ａ／Ｄ変換等）を施す。無線処理後の信号は、設定部２２０に出力される。
【００３４】
設定部２２０は、受信無線処理部２１０からの無線処理後の信号に、無線端末装置１００のフィードバック情報生成部１８０にて生成されたフィードバック情報が含まれる場合には、設定状態にアンバランスがあると認識し、そのアンバランスを解消するためにシンボルデータサイズを変更する。具体的には、設定部２２０は、フィードバック情報に含まれる受信ＦＦＴ区間Ｎｃ、最大遅延時間Δ及びインパルス応答の広がりＭを受け取り、１ＯＦＤＭシンボル長Ｎｓ≦選択区間（Ｎｃ−２Ｍ−Δ）の条件を満たすように、１ＯＦＤＭシンボル長Ｎｓを変更する。更に設定部２２０は、変更後のＮｓを用いてサンプリングレートＮｓ／Ｎｃを算出する。そして、設定部２２０は、変更後のＮｓをマルチキャリア変調部２５０に設定すると共に、算出されたサンプリングレートを送信信号生成部２３０に設定する。こうして設定状態のアンバランスに起因して受信側の無線端末装置１００で起こるＢＥＲの低下を防止することができる。
【００３５】
送信信号生成部２３０では、設定部２２０にて設定されたサンプリングレートに従ったサンプリングが行われることにより、送信データが生成される。
【００３６】
変調部２４０は、送信信号生成部２３０にて生成された送信データに対して変調を行い、変調後の信号をマルチキャリア変調部２５０に出力する。
【００３７】
マルチキャリア変調部２５０は、設定部２２０により設定されたシンボルデータサイズに従って、変調後の信号をマッピングするサブキャリア数を調整する。そして、マルチキャリア変調部２５０は、調整されたサブキャリア数のサブキャリアに変調信号をマッピングした後、周波数方向から時間方向に変換することによりマルチキャリア信号（ここでは
、ＯＦＤＭ信号）を形成する。このマルチキャリア信号は、送信無線処理部２６０に出力される。
【００３８】
具体的には、マルチキャリア変調部２５０は、図７に示すようにＳ／Ｐ変換部２５２と、サブキャリアマッピング部２５４と、ＩＦＦＴ部２５６とを有する。
【００３９】
Ｓ／Ｐ変換部２５２は、設定部２２０にて設定されたシンボルデータサイズに従って、１つのシリアルデータ系列から形成するパラレルデータ系列の数（以下、「分割数」と呼ぶことがある）を調整する。Ｓ／Ｐ変換部２５２は、変調後の送信データ系列を調整後の分割数に応じたパラレル系列に変換する。
【００４０】
サブキャリアマッピング部２５４は、Ｓ／Ｐ変換部２５２にて形成された各パラレル系列をそれぞれ対応するサブキャリアにマッピングすることにより、パラレル信号を形成する。
【００４１】
ＩＦＦＴ部２５６は、サブキャリアマッピング部２５４からのパラレル信号を周波数方向から時間方向に変換することにより、マルチキャリア信号（ここでは、ＯＦＤＭ信号）を形成する。
【００４２】
送信無線処理部２６０は、ＩＦＦＴ部２５６で形成されたマルチキャリア信号を、無線送信処理を施した後にアンテナを介して送信する。
【００４３】
次に上記構成を有する無線端末装置１００及び基地局装置２００からなる無線通信システムにおける動作について説明する。
【００４４】
基地局装置２００から無線端末装置１００に向けて下りデータ伝送を行う場合、無線端末装置１００では設定部１２０が、遅延プロファイルを用いて特定される遅延波の最大遅延量と、ＦＤＥのインパルス応答の広がりとに基づいて、ＩＳＩ除去処理部１３０に対して、Ｎｃ＝Ｎｓ＋２Ｍ＋ΔサンプルのＦＦＴ区間を設定すると共にＮｓシンボルの選択区間を設定する。そして、ＦＦＴ部１３２及び選択部１３８がこれらの設定値に基づいて所定の処理をそれぞれ行うことにより、無線端末装置１００は受信データを得ることができる。
【００４５】
ここで、無線端末装置１００が精度良く復調して受信データを得るためには、選択部１３８にて選択される選択区間は、送信側にて形成される送信信号の１シンボル長以上である必要がある。即ち、Ｎｓ≦（Ｎｃ−２Ｍ−Δ）の条件を満たす必要がある。
【００４６】
しかしながら、無線通信システムの特徴、無線端末装置１００及び基地局装置２００の設定状態によっては、受信側の無線端末装置１００だけでは上記条件を満たす状態にできない場合が考えられる。無線通信システムによっては、様々な通信能力（スペック、電池残量、許容サービス）の状態にある、無線端末装置１００及び基地局装置２００が混在する場合が考えられる。
【００４７】
第１の例としては、５ＭＨｚ、１０ＭＨｚ、２０ＭＨｚの受信限度を持つ無線端末装置１００が混在する一方、基地局装置２００は、２０ＭＨｚの送信帯域を送信する能力を有しており、各無線端末装置１００に帯域を割り当てるような無線通信システムが考えられる。この場合、基地局装置２００が２０ＭＨｚの送信に対応するシンボル長で信号を伝送しても、５ＭＨｚ、１０ＭＨｚの受信能力しか持たない無線端末装置１００はその伝送信号を受信することができない。即ち、この場合には、Ｎｓ＞（Ｎｃ−２Ｍ−Δ）の関係が成り立ち、送信側と受信側との間で設定状態のアンバランスが生じていることになる。
【００４８】
また、第２の例としては、電池残量などに応じて無線端末装置１００が受信帯域幅を変更するような場合である。即ち、通信能力としては送信側と受信側とでバランスがとれている場合でも、受信側の無線端末装置１００に設定されている許容通信能力にアンバランスが生じることが考えられる。
【００４９】
即ち、図８に示すようにＮｓ≦（Ｎｃ−２Ｍ−Δ）を満たす場合には、受信側の無線端末装置１００は、基地局装置２００からの送信信号を精度良く受信することができる。しかしながら、上記例のような場合には、図９に示すようにＮｓ＞（Ｎｃ−２Ｍ−Δ）になってしまう。この場合、無線端末装置１００が受信ＦＦＴ区間及び選択区間を拡げることも考えられるが、そもそも受信ＦＦＴ区間及び選択区間が無線端末装置１００に許容されている限度である場合にはそれも許されない。
【００５０】
そこで本実施の形態では、送信側と受信側との設定状態がアンバランスである場合には、送信側へのフィードバック情報が送信される。具体的には、設定情報取得部１６０により集められた受信ＦＦＴ区間、選択区間、最大遅延時間を用いて、設定状態バランス判定部１７０が設定状態のバランスを判定する。この判定結果、アンバランス状態である場合、フィードバック情報生成部１８０が受信ＦＦＴ区間Ｎｃ、最大遅延時間Δ及びインパルス応答の広がりＭを含むフィードバック情報を生成し、生成されたフィードバック情報を送信側に送信する。
【００５１】
送信側の基地局装置２００においては、設定部２２０がアンバランスを解消するためにシンボルデータサイズを変更する。具体的には、設定部２２０は、フィードバック情報に含まれる受信ＦＦＴ区間Ｎｃ、最大遅延時間Δ及びインパルス応答の広がりＭを受け取り、１ＯＦＤＭシンボル長Ｎｓ≦選択区間（Ｎｃ−２Ｍ−Δ）の条件を満たすように、１ＯＦＤＭシンボル長Ｎｓを変更する。更に設定部２２０は、変更後のＮｓを用いてサンプリングレートＮｓ／Ｎｃを算出する。そして、設定部２２０は、変更後のＮｓをマルチキャリア変調部２５０に設定すると共に、算出されたサンプリングレートを送信信号生成部２３０に設定する。
【００５２】
こうすることにより、図１０に示すように１ＯＦＤＭシンボル長Ｎｓ≦選択区間（Ｎｃ−２Ｍ−Δ）を満たすようになるので、送信側と受信側との設定状態がバランスのとれた状態になる。こうして設定状態のアンバランスに起因して受信側の無線端末装置１００で起こるＢＥＲの低下を防止することができる。
【００５３】
このように本実施の形態によれば、受信ＯＦＤＭ信号が受信フーリエ変換区間でフーリエ変換されることにより周波数領域の信号に変換された後に周波数領域等化処理され、更に逆フーリエ変換されることにより得られる時間領域信号の一部を復調対象の選択区間として抽出するＯＦＤＭ受信装置としての無線端末装置１００に、受信ＯＦＤＭ信号のシンボル長と選択区間とのバランスを判定する設定状態バランス判定部１７０と、前記選択区間が前記シンボル長より短い場合、受信フーリエ変換区間、前記受信ＯＦＤＭ信号の最大遅延時間及び前記周波数領域等化処理におけるインパルス応答の広がりを含む、送信側へのフィードバック情報を生成するフィードバック情報生成部１８０と、を設けた。
【００５４】
こうすることにより、受信側の無線端末装置１００に設定されている受信ＦＦＴ区間及び選択区間が無線端末装置１００に許容されている限度である場合でも、受信ＦＦＴ区間Ｎｃ、最大遅延時間Δ及びインパルス応答の広がりＭを含むフィードバック情報が送信側に送信され、このフィードバック情報を用いて送信側がシンボル長を調整することができるので、設定状態のアンバランスに起因して受信側の無線端末装置１００で起こるＢＥＲの低下を防止することができる。
【００５５】
また本実施の形態によれば、受信ＯＦＤＭ信号が受信ＦＦＴ区間でフーリエ変換されることにより周波数領域の信号に変換された後に周波数領域等化処理され、更に逆フーリエ変換されることにより得られる時間領域信号の一部を復調対象の選択区間として抽出するＯＦＤＭ受信装置に向けてＯＦＤＭ信号を送信するＯＦＤＭ送信装置としての基地局装置２００に、受信ＦＦＴ区間、受信ＯＦＤＭ信号の最大遅延時間及び周波数領域等化処理におけるインパルス応答の広がりを含むフィードバック情報を取得する取得手段としての受信無線処理部２１０と、前記フィードバック情報を用いて、前記ＯＦＤＭ信号のシンボル長が前記選択区間の長さ以下になるように、変調データがマッピングされるサブキャリア数を調整する調整手段としての設定部２２０と、を設けた。
【００５６】
こうすることにより、受信側の無線端末装置１００に設定されている受信ＦＦＴ区間及び選択区間が無線端末装置１００に許容されている限度である場合でも、受信ＦＦＴ区間Ｎｃ、最大遅延時間Δ及びインパルス応答の広がりＭを含むフィードバック情報が送信側に送信され、このフィードバック情報を用いて送信側がシンボル長を調整することができるので、設定状態のアンバランスに起因して受信側の無線端末装置１００で起こるＢＥＲの低下を防止することができる。
【００５７】
更に基地局装置２００は、送信データを変調する変調部２４０と、変調信号を直並列変換して複数のパラレルデータを形成するＳ／Ｐ変換部２５２と、前記複数のパラレルデータを逆フーリエ変換することによりＯＦＤＭ信号を形成するＩＦＦＴ部２５６と、を具備し、設定部２２０は、Ｓ／Ｐ変換部２５２にて形成される前記パラレルデータの数及び送信信号生成部２３０での送信データのサンプリングレートを変更することにより、サブキャリア数を調整する。
【００５８】
（実施の形態２）
実施の形態２では、通信方式としてＳＣ−ＦＤＭＡ（Single-Carrier Frequency Division Multiple Access）が適用される場合について説明する。受信側の無線端末装置は、実施の形態１の無線端末装置１００と基本的に同じであるが、マルチキャリア復調部１４０で使用するＰ／Ｓ変換部１４６のみＩＦＦＴ部と置き換わることになる。すなわち、ＦＦＴ部１４２で信号系列を時間方向から周波数方向へ変換し、サブキャリアデマッピング部１４４でデマッピングを行い、ＩＦＦＴ部で周波数方向から時間方向へ変換し、得られた信号系列を復調部１５０に出力する。なお、前記デマッピングは、後述のサブキャリアマッピング部３５４に対応したマッピングパターンで行う。なお、マッピングを行わない場合もありうる。
【００５９】
図１１に示すように実施の形態２の基地局装置３００は、マルチキャリア変調部３５０を有する。
【００６０】
マルチキャリア変調部３５０は、設定部２２０により設定されたシンボルデータサイズに従って、変調後の信号をマッピングするサブキャリア数を調整する。そして、マルチキャリア変調部３５０は、調整されたサブキャリア数のサブキャリアに変調信号をマッピングした後、周波数方向から時間方向に変換することによりマルチキャリア信号（ここでは、ＯＦＤＭ信号）を形成する。このマルチキャリア信号は、送信無線処理部２６０に出力される。
【００６１】
具体的には、マルチキャリア変調部３５０は、図１１に示すようにＦＦＴ部３５２と、サブキャリアマッピング部３５４と、ＩＦＦＴ部３５６とを有する。
【００６２】
ＦＦＴ部３５２は、変調部２４０によって変調されたデータに対して、ＦＦＴ処理を施
す。この処理によって、データは時間領域の信号から周波数領域の信号に変換される。ＦＦＴ部３５２は、設定部２２０にて設定されたシンボルデータサイズに従って、１シンボルから形成される成分の数（以下、「分割数」と呼ぶことがある）を調整する。周波数領域に変換されたデータは、Ｋ個（分割数に対応）の周波数にそれぞれ対応するＫ個の成分から構成される。
【００６３】
サブキャリアマッピング部３５４では、ＦＦＴ部３５２で形成されたデータの各成分が、対応するサブキャリアに割り当てられた信号としてそのまま出力される。
【００６４】
ＩＦＦＴ部３５６は、サブキャリアマッピング部３５４から出力された信号に対してＩＦＦＴ処理を施す。この処理によって、データは、周波数領域の信号から時間領域の信号に逆変換される。
【００６５】
このように本実施の形態によれば、ＯＦＤＭ送信装置としての基地局装置３００に、送信データを変調する変調部２４０と、変調信号をフーリエ変換して複数の周波数成分を形成するＦＦＴ部３５２と、前記複数の周波数成分をそれぞれ異なるサブキャリアにマッピングするサブキャリアマッピング部３５４と、前記マッピングされた複数の周波数成分を逆フーリエ変換することによりＯＦＤＭ信号を形成するＩＦＦＴ部３５６と、を設け、設定部２２０は、ＦＦＴ部３５２にて形成される前記周波数成分の数及び送信信号生成部２３０での送信データのサンプリングレートを変更することにより、サブキャリア数を調整する。
【００６６】
（他の実施の形態）
なお、実施の形態１及び実施の形態２における、時間領域の信号から周波数領域の信号への変換には、ＦＦＴの他に、ＤＦＴ、離散フーリエ変換等、他の周波数変換方式を用いてもよい。また、周波数領域の信号から時間領域の信号への変換には、ＩＦＦＴの他に、ＩＤＦＴ、離散逆フーリエ変換等、他の時間変換方式を用いてもよい。また、ＦＦＴ区間は、ＦＦＴ窓と表されることがある。また、循環畳み込みをＤＦＴすると単なる積になる、いわゆる畳み込み定理を用いて、時間領域信号の畳み込み演算を周波数領域信号の積に置き換える、あるいは、時間領域信号の積を周波数領域信号の畳み込みに置き換えてもよい。これにより、上記の信号変換処理の代替を考慮した構成としてもよい。
【００６７】
また、本発明はＭＭＳＥ−ＦＤＥに限らず、ＺＦ−ＦＤＥ等、他のＦＤＥに対しても同様に適用することができる。また、本発明はＦＤＥを用いる他のディジタル伝送方式(例えば、ＭＣ−ＣＤＭＡ、ＤＳ−ＣＤＭＡ、ＩＦＤＭＡ、Ｗａｖｅｌｅｔ−ＯＦＤＭ、等)に同様に適用することができる。
【００６８】
また実施の形態１及び実施の形態２では、ハードウェアで構成する場合を例にとって説明したが、ソフトウェアで実現することも可能である。
【００６９】
また実施の形態１及び実施の形態２に用いた各機能ブロックは、典型的には集積回路であるＬＳＩとして実現されることが可能である。これは１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路または汎用プロセッサで実現してもよい。ＬＳＩ製造後に、プログラムすることが可能なＦＰＧＡや、ＬＳＩ内部の回路セルの接続や設定を再構成可能なリコンフィギュラブル・プロセッサーを利用してもよい。さらには、半導体技術の進歩または派生する別技術によりLSIに置き換わる集積回路化の技術が登場すれば、当然、その技術を用いて機能ブロックの集積化を行ってもよい。バイオ技術の適用等が可能性としてありえる。
【００７０】
また実施の形態１及び実施の形態２において、予め設定した範囲をもつ選択区間で分類したテーブルあるいはコードブック等を送受信側で所持し、該当範囲番号のみをフィードバックする、いわゆるプレコーディングを行うことで、フィードバック情報量を削減することも可能である。
【産業上の利用可能性】
【００７１】
本発明のＯＦＤＭ送信装置及びＯＦＤＭ受信装置は、様々な通信能力の状態にある複数の無線通信装置の間で通信が行われる無線通信システムにおいても、良好なＢＥＲ特性を維持しつつ、伝送効率を高めることができるものとして有用である。
【図面の簡単な説明】
【００７２】
【図１】ＩＳＩの説明図
【図２】ＩＳＩによる歪みの説明に供する図
【図３】本発明の実施の形態のＦＤＥの動作説明図
【図４】本発明の実施の形態１に係る無線端末装置の構成を示すブロック図
【図５】実施の形態１に係る無線端末装置の構成を示すブロック図
【図６】実施の形態１に係る基地局装置の構成を示すブロック図
【図７】実施の形態１に係る基地局装置の構成を示すブロック図
【図８】設定状態のバランスがとれた状態のシンボル長と受信ＦＦＴ区間との関係の説明に供する図
【図９】設定状態のバランスがとれていない状態のシンボル長と受信ＦＦＴ区間との関係の説明に供する図
【図１０】図９の状態から設定状態バランスをとった後の状態を示す図
【図１１】実施の形態２に係る基地局装置の構成を示すブロック図
【手続補正３】
【補正対象書類名】図面
【補正対象項目名】全図
【補正方法】変更
【補正の内容】
【図１】
2008139624.tif 000014
【図２】
2008139624.tif 000015
【図３】
2008139624.tif 000016
【図４】
2008139624.tif 000017
【図５】
2008139624.tif 000018
【図６】
2008139624.tif 000019
【図７】
2008139624.tif 000020
【図８】
2008139624.tif 000021
【図９】
2008139624.tif 000022
【図１０】
2008139624.tif 000023
【図１１】
2008139624.tif 000024
【国際調査報告】
2008139624.tif 000025
2008139624.tif 000026
2008139624.tif 000027
2008139624.tif 000028